(57)【要約】【課題】ケースに対するカバーの上方への移動が規制された状態でカバーが前方に向けて強く引かれたとしてもケースやカバーが破損することがない電子機器用筐体を提供する。【解決手段】箱状のケースと、ケースに取付構造によって取付けられた箱状のカバー２６とを備える。取付構造は、ケースの上端部の柱状突起および取付片と、取付片に設けられたねじ孔と、カバー２６の上端部に設けられて柱状突起と嵌合する第１の穴１１と、ねじ孔と上下方向に重なる第２の穴１２と、第２の穴１２を通してねじ孔に螺着する固定用ねじとを有する。カバー２６の上端部に、第２の穴１２を起点としてカバー２６の開口縁３４まで延びるスリット２７が形成されている。スリット２７は、上方から見て第１の穴１１を中心とする円弧状に形成されている。【選択図】  図３
2018032678.tif 000002
【特許請求の範囲】
【請求項１】
前方に向けて開口する箱状に形成された電子機器用ケースと、
前記ケースの開口部に対向する開口部を有し、前記ケースの開口部に嵌合式の取付構造によって着脱可能に取付けられた箱状のカバーとを備え、
前記取付構造は、
前記ケースの上端部に設けられ、前記ケースの開口部より前方で上方に向けて突出する突起と、
前記ケースの上端部に設けられ、このケースに前記カバーが取付けられた状態で前記カバーの上端部の下面に重なる取付片と、
前記取付片に上下方向に延びるように設けられたねじ孔と、
前記カバーの上端部に設けられ、前記突起と嵌合する第１の穴と、
前記カバーの上端部に設けられ、このカバーが前記ケースに取付けられた状態で前記ねじ孔と上下方向に重なる第２の穴と、
前記第２の穴を通して前記ねじ孔に螺着された固定用ねじとを有し、
前記カバーの上端部に、前記第２の穴を起点として前記カバーの開口縁まで延びるスリットが形成され、
前記スリットは、上方から見て前記第１の穴を中心とする円弧状に形成されている電子機器用筐体。
【請求項２】
請求項１記載の電子機器用筐体において、
前記スリットの内壁面に微細な凸凹が設けられていることを特徴とする電子機器用筐体。
【発明の詳細な説明】
【技術分野】
【０００１】
本発明は、箱状のケースと箱状のカバーとを備えた電子機器用筐体に関する。
【背景技術】
【０００２】
従来、電子機器の筐体は、操作部あるいは表示部が前面に露出するように形成されることが多い。この種の筐体としては、プリント基板や電子部品を収容する箱状のケースと、このケースの開口部を閉塞する箱状のカバーとによって前後方向に２分割可能に形成されたものがある。このような筐体において、カバーが筐体の前端部に配置される場合は、ケース内の部品のメンテナンスを前方から容易に行うことができるように、カバーがケースに対して前方から着脱される構成を採ることが望ましい。ここで、従来のこの種の電子機器用筐体を図７によって説明する。
【０００３】
図７に示す電子機器用筐体１は、この筐体１の前方に向けて開口する箱状のケース２と、このケース２に向けて開口する箱状のカバー３とを備えている。これらのケース２とカバー３は、それぞれプラスチック材料によって形成されている。ケース２の上端部には、上方に向けて突出する円柱状の柱状突起４と、ねじ孔５を有する取付片６とが設けられている。このねじ孔５は、取付片６に雌ねじ部材７を埋め込むことによって形成されている。
【０００４】
また、ケース２の開口部２ａの両側部には、複数の小突起８が設けられている。これらの小突起８は、ケース２の一側部と他側部とにおいて、それぞれ上下方向に並ぶ２箇所に設けられている。
ケース２の開口部２ａの下端部には、複数の貫通穴９が形成されている。
【０００５】
一方、カバー３の上端部であって後端部分（ケース２に近接する端部）には、第１および第２の穴１１，１２が左右方向に並ぶ状態で穿設されている。第１の穴１１は、カバー取付時に上述した柱状突起４が嵌合する。第２の穴１２は、カバー取付時に固定用ねじが上方から挿通される。この固定用ねじは、上述した雌ねじ部材７のねじ孔５に螺着される。
【０００６】
カバー３の開口部３ａには、ケース２の両側部に沿ってケース２の開口部内に挿入される複数のガイド板１３が設けられている。図７に示すカバー３には、一側部と他側部とにおいてそれぞれ上下方向に並ぶ４枚のガイド板１３が設けられている。これらのガイド板１３のうち上側の２枚のガイド板１３どうしの間と、下側の２枚のガイド板どうしの間には、それぞれ係合穴１４が形成されている。この係合穴１４は、上述した小突起８が係合するもので、ガイド板１３の後端（ケース２側となる先端）に開口する出入口部１４ａと、この出入口部１４ａより前側で上方に延びる係合部１４ｂとによって形成されている。
カバー３の開口部３ａの下端部には、下方に向けて突出する複数の突起１５が設けられている。これらの突起１５は、ケース２にカバー３が取付けられた状態においてケース２の貫通穴９に嵌合する。
【０００７】
このように構成された従来の電子機器用筐体１において、カバー３をケース２に取付けるためには、先ず、図８に示すように、カバー３をケース２に対して上側にずらした状態でケース２の開口部２ａにカバー３の開口部３ａを接近させる。そして、カバー３のガイド板１３をケース２の開口部２ａ内に挿入し、図９に示すように、ケース２の小突起８を係合穴１４の出入口部１４ａから係合部１４ｂに挿入する。次に、このようにケース２の開口部２ａとカバー３の開口部３ａとが重なる状態で、カバー３をケース２に対して下方にスライドさせる。
【０００８】
カバー３が下方にスライドすることにより、柱状突起４が第１の穴１１に嵌合し、図１０に示すように、小突起８が係合穴１４の係合部１４ｂの上端部に入る。また、図示してはいないが、カバー３の下端部の突起１５がケース２の貫通穴９に嵌合する。この状態においては、柱状突起４と第１の穴１１とからなる嵌合式の取付部と、小突起８と係合穴１４とからなる取付部と、下端部の貫通穴と突起とからなる取付部とによって、カバー３がケース２に取付けられ、カバー３をケース２から前方へ取外すことができなくなる。この状態で固定用ねじ１６を第２の穴１２に通し、ねじ孔５にねじ込むことによって、カバー３がケース２に固定される。
一方、カバー３をケース２から取外すためには、固定用ねじ１６を外してカバー３をケース２に対して上方へ引き上げ、その後、カバー３をケース２に対して前方に引き出すことによって行うことができる。
【発明の概要】
【発明が解決しようとする課題】
【０００９】
図７に示す電子機器用筐体１では、カバー３がケース２に対して前方に引かれたときにケース２の取付片６が破損されることがあるという問題があった。このように取付片６が破損される理由は、ケース２においてカバー３と剛直に結合されている部分が取付片６のみであり、カバー３に加えられた引張力が取付片６に集中してしまうからである。
【００１０】
本発明はこのような問題を解消するためになされたもので、カバーがケースに対して上方へスライドした後に前方に取外される電子機器用筐体において、ケースに対するカバーの上方への移動が規制された状態でカバーが前方に向けて強く引かれたとしてもケースやカバーが破損することがない電子機器用筐体を提供することを目的とする。
【課題を解決するための手段】
【００１１】
この目的を達成するために、本発明に係る電子機器用筐体は、前方に向けて開口する箱状に形成された電子機器用ケースと、前記ケースの開口部に対向する開口部を有し、前記ケースの開口部に嵌合式の取付構造によって着脱可能に取付けられた箱状のカバーとを備え、前記取付構造は、前記ケースの上端部に設けられ、前記ケースの開口部より前方で上方に向けて突出する突起と、前記ケースの上端部に設けられ、このケースに前記カバーが取付けられた状態で前記カバーの上端部の下面に重なる取付片と、前記取付片に上下方向に延びるように設けられたねじ孔と、前記カバーの上端部に設けられ、前記突起と嵌合する第１の穴と、前記カバーの上端部に設けられ、このカバーが前記ケースに取付けられた状態で前記ねじ孔と上下方向に重なる第２の穴と、前記第２の穴を通して前記ねじ孔に螺着された固定用ねじとを有し、前記カバーの上端部に、前記第２の穴を起点として前記カバーの開口縁まで延びるスリットが形成され、前記スリットは、上方から見て前記第１の穴を中心とする円弧状に形成されているものである。
【００１２】
本発明は、前記電子機器用筐体において、前記スリットの内壁面に微細な凸凹が設けられていてもよい。
【発明の効果】
【００１３】
本発明に係る電子機器用筐体においては、ケースの突起がカバーの第１の穴に嵌合し、カバーの第２の穴に通された固定用ねじがケース側のねじ孔に螺着されることによって、ケースにカバーが取付けられる。この取付状態でカバーがケースに対して前方に引かれると、カバーの開口部の上端部分が突起と固定用ねじとを前方に押し、引張力がカバーから突起と固定用ねじとを介してケース側に伝達される。
【００１４】
この引張力が過度に大きい場合は、カバーのスリットを有する上端部分が固定用ねじを強く押すことによって、固定用ねじがスリットの隙間を拡げながらスリット内に入るようになる。このとき、カバーは、突起によってケースに対する前方への移動が規制されているために、突起を中心とする円弧に沿う方向に変位する。スリットは、カバーがこのように変位する方向に沿って形成されている。このため、過大な引張力がカバーに加えられた場合は、固定用ねじがスリット内をスリットに沿って進むようになり、固定用ねじを介して取付片に伝達される引張力が緩和される。
したがって、本発明によれば、ケースに対するカバーの上方への移動が規制された状態でカバーがケースに対して前方に向けて強く引かれたとしても、ケースが破損することがない電子機器用筐体を提供することができる。
【図面の簡単な説明】
【００１５】
【図１】本発明に係る電子機器用筐体を複数備えた電子装置の斜視図である。
【図２】本発明に係る電子機器用筐体のケースとカバーとを示す斜視図である。
【図３】カバーの要部を示す平面図である。
【図４】要部の縦断面図である。図４は、ケースにカバーが取付けられた状態を示す。
【図５】固定用ねじがスリット内に入った状態を示す要部の平面図である。
【図６】壁面に微細な凸凹を有するスリットを示す平面図である。
【図７】従来の電子機器用筐体のケースとカバーの斜視図である。
【図８】従来の電子機器用筐体の一部の縦断面図である。図８は、ケースにカバーを接近させている途中の状態を示す。
【図９】従来の電子機器用筐体の一部の縦断面図である。図９は、ケースの開口部とカバーの開口部とが互いに当接している状態を示す。
【図１０】従来の電子機器用筐体の一部の縦断面図である。図１０は、カバーがケースに対して下側にスライドした状態を示す。
【発明を実施するための形態】
【００１６】
以下、本発明に係る電子機器用筐体の一実施の形態を図１〜図５によって詳細に説明する。これらの図において、図７〜図１０によって説明したものと同一もしくは同等の部材については、同一符号を付し詳細な説明を適宜省略する。
【００１７】
図１に示す電子装置２１は、水平方向に並ぶ複数の電子機器としてのモジュール２２と、これらのモジュール２２を着脱可能に支持する板状のベースユニット２３とを備えている。モジュール２２は、本発明に係る電子機器用筐体２４（図２参照）を用いて構成されている。
電子機器用筐体２４は、図２に示すように、電子機器用ケース２と、このケース２の開口部２ａに嵌合式の取付構造２５によって着脱自在に取付けられる箱状のカバー２６とを備えている。カバー２６は、図７に示した従来のカバーとは、第２の穴１２と後端との間に後述するスリット２７が設けられている点で異なり、その他の構成が同一となるように形成されている。
【００１８】
取付構造２５は、ケース２およびカバー２６の上端部に設けられた第１の取付部３１と、両側部に設けられた第２の取付部３２と、下端部に設けられた第３の取付部３３などによって構成されている。
【００１９】
第１の取付部３１は、ケース２の柱状突起４と、ねじ孔５を有する取付片６と、カバー２６の上端部に設けられた第１および第２の穴１１，１２と、固定用ねじ１６などによって構成されている。
【００２０】
柱状突起４は、ケース２の上端部に設けられ、ケース２の開口部より前方で上方に向けて突出している。
ねじ孔５は、取付片６にインサート成形によって埋設された雌ねじ部材７に形成されており、上下方向に延びるように設けられている。
取付片６は、ケース２の上端部に設けられ、図４に示すように、このケース２にカバー２６が取付けられた状態でカバー２６の上端部の下面に重なる。
【００２１】
第１の穴１１と第２の穴１２は、カバー２６の上端部であって開口部２６ａの近傍に設けられている。第１の穴１１は、ケース２にカバー２６が取付けられた状態で柱状突起４と嵌合する。第２の穴１２は、図４に示すように、ケース２にカバー２６が取付けられた状態でねじ孔５と上下方向に重なる。この第２の穴１２は、上端から下端まで穴径が一定となるように形成された貫通穴である。第２の穴１２の穴径は、固定用ねじ１６のねじ部１６ａが挿通可能な穴径である。
固定用ねじ１６は、ケース２にカバー２６を取付けるときに第２の穴１２を通してねじ孔５に螺着される。この実施の形態による固定用ねじ１６は、頭部１６ｂがカバー２６の上面２６ｂから上方に突出する構造のものである。
【００２２】
第２の取付部３２は、ケース２の小突起８と、カバー２６のガイド板１３および係合穴１４などによって構成されている。
第３の取付部３３は、ケース２の下端部の貫通穴９と、カバー２６の下端部の突起１５などによって構成されている。
【００２３】
カバー２６のスリット２７は、図４に示すように、カバー２６の上端部を上下方向に貫通しており、図３に示すように、第２の穴１２を起点としてカバー２６の開口縁３４まで延びている。このため、第２の穴１２は、スリット２７を通してカバー２６の後方に開放されている。スリット２７の平面形状は、図３に示すように、第１の穴１１を中心とする半径Ｒの円弧状である。
【００２４】
スリット２７の幅Ａ（図３参照）は、予め定めた条件を満たすように、固定用ねじ１６のサイズ（ねじ径）に基づいて規定されている。予め定めた条件とは、スリット２７の前端が固定用ねじ１６のねじ部１６ａに所定の力で押し付けられたときに、カバー２６の上端部がスリット２７を中心にしてスリット２７の幅が拡がるように左右方向へ変形することである。この幅Ａは、例えば、第２の穴１２の穴径（ねじ径）の約１／３〜約１／２とすることができる。
【００２５】
このように構成された電子機器用筐体２４は、図７に示す従来の電子機器筐体１と同様に組立てることができる。この電子機器筐体２４が組み立てられた状態でカバー２６がケース２に対して前方に引かれると、カバー２６の開口部２６ａの上端部分が柱状突起４と固定用ねじ１６とを前方に押し、引張力がカバー２６から柱状突起４と固定用ねじ１６とを介してケース２側に伝達される。
【００２６】
この引張力が過度に大きい場合は、カバー２６のスリット２７を有する上端部分が固定用ねじ１６を強く押すことになり、固定用ねじ１６がスリット２７の隙間を拡げながらスリット２７内に入るようになる。このとき、カバー２６は、柱状突起４によってケース２に対する前方への移動が規制されているために、図５に示すように、柱状突起４を中心とする円弧に沿う方向に変位する。スリット２７は、このときのカバー２６の変位する方向に延びるように、柱状突起４（第１の穴１１）を中心とする半径Ｒの円弧状に形成されている。
【００２７】
このため、過大な引張力がカバー２６に加えられた場合は、スリット２７内に固定用ねじ１６が入り、カバー２６が固定用ねじ１６に対して移動するようになるから、固定用ねじ１６を介して取付片６に伝達される引張力が緩和される。
したがって、この実施の形態によれば、ケース２に対するカバー２６の上方への移動が規制された状態でカバー２６がケース２に対して前方に向けて強く引かれたとしても、ケース２が破損することがない電子機器用筐体を提供することができる。
【００２８】
この実施の形態による電子機器用筐体２４においては、スリット２７が第１の穴１１を中心とする円弧状に形成されているから、前後方向に延びる直線状に形成された場合と較べると、固定用ねじ１６を介してケース２側に伝達される力が小さくなる。このため、この実施の形態によれば、取付片６の破損を確実に防ぐことができる。
なお、固定用ねじ１６がスリット２７内に入った場合は、カバー２６を固定用ねじ１６に対して後方に押すことにより、固定用ねじ１６が第２の穴１２内に位置する初期の状態に戻し、カバー２６を再度使用することができる。
【００２９】
＜スリットの変形例＞
スリットは、図６に示すように形成することができる。図６において、図１〜図５によって説明したものと同一もしくは同等の部材については、同一符号を付し詳細な説明を適宜省略する。
【００３０】
図６に示すスリット２７の内壁面には、多数の微細な凸凹４１が設けられている。この凸凹４１は、内壁面の全域にわたって形成されており、スリット２７内を固定用ねじ１６が進むときに抵抗を付与する。
この実施の形態によれば、スリット２７内に入った固定用ねじ１６がスリット２７内を進み難くなるから、過大な引張力がカバー２６に加えられたときに固定用ねじ１６がスリット２７を通過することを防ぐことができる。固定用ねじ１６がスリット２７を通過してしまうと、カバー２６が上方へ移動することを規制できなくなり、ケース２から簡単に外れるようになってしまう。しかし、この実施の形態によれば、固定用ねじ１６がスリット２７内に留まるようになるから、カバー２６がケース２に組付けられた状態を保持することができる。
【符号の説明】
【００３１】
２…ケース、２ａ，２６ａ…開口部、４…柱状突起、５…ねじ孔、６…取付片、７…雌ねじ部材、１１…第１の穴、１２…第２の穴、１６…固定用ねじ、２４…電子機器用筐体、２５…取付構造、２６…カバー、２７…スリット、４１…凸凹。
【図１】
2018032678.tif 000003
【図２】
2018032678.tif 000004
【図３】
2018032678.tif 000005
【図４】
2018032678.tif 000006
【図５】
2018032678.tif 000007
【図６】
2018032678.tif 000008
【図７】
2018032678.tif 000009
【図８】
2018032678.tif 000010
【図９】
2018032678.tif 000011
【図１０】
2018032678.tif 000012